(57)【要約】  【課題】  低コストにして、所望の開成角度を固定的に保持することができる無段階ロック機能を付与してもその収容物を破損することなく開閉でき、且つ高級感を備えたコンパクト容器とし得るコンパクト容器或いはそのヒンジ構造を提供することにある。  【解決手段】  化粧料、化粧用具等を収容し得る容器本体と、この容器本体にヒンジ部を介して回動自在に連結され、容器本体の開口部を開閉し得る蓋体とからなるコンパクト容器において、容器本体のヒンジ部近傍に突条部を形成し、蓋体と容器本体との間が所定の開成角度となるとき、前記突条部が蓋体に突き当たり、蓋体を所定の開成角度に規制するようにしたことを特徴とする。  【選択図】図２
2005192709.tif 000002
【特許請求の範囲】
【請求項１】
化粧料、化粧用具等を収容し得る容器本体と、この容器本体にヒンジ部を介して回動自在に連結され、容器本体の開口部を開閉し得る蓋体とからなるコンパクト容器において、容器本体のヒンジ部近傍に突条部を形成し、蓋体と容器本体との間が所定の開成角度となるとき、前記突条部と蓋体との突き当たりにより、開成付勢力が蓋体に付加される前に蓋体を所定の開成角度に規制するようにしたことを特徴とするコンパクト容器。
【請求項２】
ヒンジ部が、開成及び閉成位置の手前の所定の狭い角度範囲で回動付勢力を有し、該付勢力により蓋体を開成或いは閉成方向に付勢し、中間の広い範囲では任意の角度位置で回動を止めその角度を保持し得るように構成されるヒンジ構造を備え、回動付勢力による開方向への回動が開始される直前の開成角度位置に適合した位置に突条部が位置づけられ、回動付勢力による開方向の動きを制限するようにしたことを特徴とする請求項１に記載のコンパクト容器。
【請求項３】
閉成時において対向する容器本体と蓋体との間に、衝撃吸収性を有する緩衝材を介在させて閉成時における蓋体と容器本体との衝突による衝撃を緩和するように構成されることを特徴とする請求項１又は２に記載のコンパクト容器。
【発明の詳細な説明】
【技術分野】
【０００１】
化粧料、化粧用具等を収容するためのコンパクト容器の構造に関する。
【背景技術】
【０００２】
化粧料や化粧用具を収容するための容器として広く普及しているものの一つにコンパクト容器がある。コンパクト容器の基本構成は、化粧料や化粧用具を収容することができるように形成された容器本体と、この容器本体のヒンジ部をなす端部近傍に回動自在に枢着され、容器本体の開口部を開閉し得るように形成された蓋体とからなる。このような構成を採るコンパクト容器のうち、任意の開成角度で蓋体を固定的に保持できるように設計された所謂フリーストップ機能を有するものが知られている。その代表的なものとして特開２００３−０００３３５号公報が挙げられる。この公報に開示の技術は、容器本体のヒンジ部をなす端部近傍に、一体的に形成された環状凸部と、この環状凸部に係入して取り付けられる嵌合凹部を有する蓋体とからなり、前記環状凸部の周回側面上に半径方向に隆起した突出部が形成されていて、蓋体を開成すると嵌合凹部の切欠部に収納的に嵌め込まれていた前記突出部が周回上にスライドし、環状凸部と嵌合凹部との間の間隙に入り込み、該突出部と嵌合凹部内面との摩擦力が発生して任意の開成角度で蓋体の位置を固定的に保持し得るように構成されている。
【０００３】
しかし、無段階ロックやフリーストップの機能をもたらすための構造として、上述のようにヒンジで連結される二物体間の間隙、所謂あそびを減少させ、両者の摩擦抵抗を大きくすれば、無段階ロック状の効果を得ることは不可能ではないがこの場合、開閉時に不快な摩擦音が発生することや、使用を重ねる毎に進行する摩耗によって品質が著しく低下することや高級感を損なうという理由により、化粧品の容器として相応しくない問題がある。
【０００４】
また、コンパクト容器等の化粧具用容器以外のものとしては、無段階ロック或いはフリーストップと呼ばれる機能を有する携帯電話等の電子機器等が挙げられ、その代表例としては特開２００２−１５５９２６号公報を挙げることができる。この携帯電話に用いられている無段階ロック或いはフリーストップとは、二つの物体の一方の端部近傍に他方の物体の端部近傍を軸支して互いに回動し得るように連結された二つに折り畳むことが可能な二折開閉機構において、完全開成及び完全閉成位置の僅かに手前の所定の狭い角度の範囲で各方向に回動付勢力があって、この範囲内において自動的に完全開成或いは完全閉成状態となるが、中間の広い範囲では任意の角度位置で回動を止めその角度を保持し得るように構成されるヒンジ構造によってもたらされる機能のことである。このような構成の機能を付与することで、ある範囲内において所望の角度で開成状態を保持することが出来るようになり、片手若しくは両手を自由に使うことが可能になると共に、長期使用に耐え、高級感を出し続けることができる。これは、化粧用具として非常に良好な状態である。
【０００５】
具体例として携帯電話における無段階ロック機能のヒンジ機構について更に詳細にみると、例えば、二折開閉型の携帯電話に使用されている汎用ヒンジパーツはそれを組み込んだ筐体について、完全閉成位置近傍つまり開成角度０度近傍では、その閉じた状態を維持するように、閉成向きの吸い込みが開始される凡そ２０度位置から−１０度位置に向けて、また最大開成位置近傍においては、その開いた状態を維持するように開成向きの吸い込みが凡そ１４０度位置から１７０度位置に向けて、ヒンジパーツ内部に組み込まれたスプリング等によって付勢力を作用させて、それらの所定の開成角度の範囲内で自己回動するように設計されている。
【０００６】
上述のように携帯電話の蓋の位置が、０度位置又は１６５度位置となるように設計されているのは、それらのいずれかの状態で安定させることが用途上適しているためである。しかし、このヒンジパーツを化粧料や化粧用具を収容或いは収納するためのコンパクト容器に適用した場合、１６５度位置近傍の付勢力による自己回動が使用性上好ましくない。なぜなら、コンパクト容器では、蓋の内側に鏡を備え付けるということが一般的であり、使用者がこの鏡を見る場合、所望の角度で蓋を固定することができるようになっていることが望ましいのであるが、この汎用ヒンジパーツをコンパクト容器に適用したものでは、使用者が１４０度近傍で蓋を止めたいと思っても上述のように、少しでも開成向きの吸い込みの範囲に掛かってしまうと蓋が自己回動によって１７０度の最大開成状態となるまで吸い込まれてしまい上手く固定することが困難となる。また、蓋が１７０度の最大開成位置にある場合、その位置から脱するためには付勢されているより大きな力を加えなければならず、こういったことが使用者に不快感を与えてしまう畏れがある。
【０００７】
ところで、上述のように蓋を所望の開成角度で固定的に保持し得る無段階ロック或いはフリーストップ機能は、これまで携帯電話に使用されているヒンジパーツのような性能や高級感を有する無段階ロックやフリーストップの如くの機能を備えたコンパクト容器はなかった。また、コンパクト容器に、この無段階ロックやフリーストップの如くの機能を付与すると、上述のように、完全開成及び完全閉成位置の僅か手前の所定の狭い角度の範囲内において自動的に完全開成或いは完全閉成状態となる。無段階ロックやフリーストップの性状から、開成角度が所定の範囲になると、蓋が開き切る又は閉り切ってしまいこの際、開き切る瞬間或いは閉り切る瞬間に容器本体と蓋体とが衝突し、これらの二物体に衝撃力が発生する。この衝撃力によって容器本体内部に収容していた固形化された紛状化粧料が割れたり、飛散したりするといったように、無段階ロックやフリーストップの如くの機能をコンパクト容器にそのまま組み込むには問題があった。
【０００８】
また、上述の如き問題を解消するために、ヒンジ機構そのものの設計を改め、開成向きの吸い込みをなくすものに変えることは、特願２０００−２２７９０号に示されており技術的には可能である。或いは、コンパクト容器専用の無段階ロックの如くの新たな機構を開発することも考えられるが、これらの場合には、開発期間や費用の問題が生じるのは明白であって、発明者等は既存の汎用品を採用した方がコスト的に有利であり、また調達も容易であるとの見解に達している。そこで、発明者等は汎用品を採用して低コストを実現しつつ、コンパクト容器としても十分に実用に堪え得るものとすべく鋭意研究を重ねた結果本発明に至った。
【０００９】
【特許文献１】特開２００３−０００３３５号公報
【特許文献２】特開２００２−１５５９２６号公報
【特許文献３】特開２０００−０２２７９０号公報
【発明の開示】
【発明が解決しようとする課題】
【００１０】
すなわち、本発明の目的とするところは、低コストにして、所望の開成角度を固定的に保持することが可能な無段階ロック機能を付与し、収容物を破損することなく開閉でき、且つ高級感を備えたコンパクト容器とし得るコンパクト容器或いはそのヒンジ構造を提供することにある。
【課題を解決するための手段】
【００１１】
上記課題を解決するために本発明が採った手段は、化粧料、化粧用具等を収容し得る容器本体と、この容器本体にヒンジ部を介して回動自在に連結され、容器本体の開口部を開閉し得る蓋体とからなるコンパクト容器において、容器本体のヒンジ部近傍に突条部を形成し、蓋体と容器本体との間が所定の開成角度となるとき、前記突条部と蓋体との突き当たりにより、開成付勢力が蓋体に付加される前に蓋体を所定の開成角度に規制するようにしたことを特徴とする。
【００１２】
ヒンジ部が、開成及び閉成位置の手前の所定の狭い角度範囲で回動付勢力を有し、該付勢力により蓋体を開成或いは閉成方向に付勢し、中間の広い範囲では任意の角度位置で回動を止めその角度を保持し得るように構成されるヒンジ構造を備え、回動付勢力による開方向への回動が開始される直前の開成角度位置に適合した位置に突条部が位置づけられ、回動付勢力による開方向の動きを制限するようにしたことを特徴とする。
【００１３】
閉成時において対向する容器本体と蓋体との間に、衝撃吸収性を有する緩衝材を介在させて閉成時における蓋体と容器本体との衝突による衝撃を緩和するように構成されることを特徴とする
【発明の効果】
【００１４】
この発明のコンパクト容器によれば、容器本体にヒンジ枢着された蓋体が所定の角度以上に開成することを防止でき、且つ鏡等の使用性上最も好ましい角度に固定することができるという効果がある。
【００１５】
また、無段階ロック機能をもたらすヒンジ構造とを併用した構成とすることで、所望の位置で蓋体の角度を固定的に保持することができると共に、無段階ロック機能のみを付与した場合に生じていた完全開成時における容器本体及び蓋体の弾力的な開動作による衝撃を減少させることができ、また開成向きの吸い込み開始位置近傍における蓋体の固定の困難性を解消し、且つ容器内に収容された化粧料が飛散したり、割れたりすることを抑止することができるという効果がある。
【００１６】
また、緩衝材により完全閉成時における容器本体及び蓋体の急激な閉動作があった場合に見る衝撃を緩和すことができ、容器内に収容された化粧料が飛散したり、割れたりすることを抑止することができるという効果がある。
【００１７】
そして、容器本体のヒンジ部をなす端部近傍の形状を従来のものから当該発明のものに変更するだけで上記の如くの効果をもたらすことが可能であって、部品の調達が容易で、非常に低コストでありながら高級感をだすことができるという効果がある。
【発明を実施するための最良の形態】
【００１８】
この発明の好ましい実施の形態を、図を参照しながら以下に詳細に説明する。図１は本発明を適用したコンパクト容器の回動状態を示す側面図であり、図２は本発明にかかるヒンジ部周辺の側面の状態を示す拡大図である。本発明のコンパクト容器は、化粧料や化粧用具を収容し得るように構成される容器本体(１)と、この容器本体(１)の端部近傍に形成されるヒンジ部を軸として回動自在に連結され、容器本体(１)の開口部を開閉し得るように配置された蓋体(２)と、この蓋体(２)の最大開成角度を規制するために容器本体(１)のヒンジ部をなす端部近傍に形成される突条部(３)とを備えたことを特徴とする。
【００１９】
容器本体(１)については、所定の形状、大きさの突条部(３)を所定の位置に形成することができ、所望の化粧料や化粧用具を収容又は収納できるものであればよく、これ以外特に限定されるものでもないので、その形状や大きさ、質量や色或いは質感、他の仕様等については従来公知の技術を用いることが可能である。
【００２０】
蓋体(２)は、容器本体(１)に回動自在に枢着され、容器本体(１)の開口部を開閉し得るものであればよく、これ以外特に限定されるものでもない。その形状や大きさ、質量や色或いは質感、他の仕様等については従来公知の技術を用いることが可能である。
【００２１】
突条部(３)は、所定の形状と大きさを有し、容器本体(１)に枢着された蓋体(２)の最大開成角度を所定の大きさに規制することができるものであればよく、形状や大きさ自体は特に限定されない。好ましくは容器本体(１)のデザインに違和感なく一体的に形成する。また、無段階ロック機能を発現するように構成されたヒンジ機構を採用する場合、突条部(３)と蓋体(２)とが当接して蓋体(２)のそれ以上の開成が制限される状態となるように形成される突条部(３)の位置が、前記ヒンジ機構における開成向きの吸い込み開始位置の手前であるようにすることが望ましい。
【００２２】
ヒンジ部(６)は、容器本体(１)にヒンジ枢着された蓋体(２)が回動して容器本体の開口部を開閉し得るように構成されたものであればよく、特に限定されず従来公知の技術を用いることができるが、無段階ロック機能を発現するように設計されたヒンジ機構を採用することが好ましく、この場合、更に好ましくは容器本体(１)又は蓋体(２)或いはその両方の所定の位置に緩衝材(４)を配置して閉成時における容器本体(１)と蓋体(２)との衝突の際の衝撃を緩和するように構成する。勿論、緩衝材(４)を容器本体(１)と蓋体(２)との間に介在させるのは、無段階ロック機能を発現するように設計されていないヒンジ機構を採用する場合にも有効である。
【００２３】
また、無段階ロック機能を発現するように設計されたヒンジ機構を採用する場合において、コンパクト容器の携帯時等における不用意な開成を防ぐには、閉成向きの付勢力としてある程度の強度を持たせることが必要であり、この付勢力が強力な場合、閉成時における容器本体(１)と蓋体(２)との当りが強くなり収容物を破損する畏れが生じるため、容器本体(１)と蓋体(２)との間に緩衝材(４)を介在させることが特に有効となる。
【００２４】
緩衝材(４)は、ＮＢＲやＩＩＲ若しくはシリコンラバー等のゴム類、或いはＴＰＵ等の熱可塑性エラストマーや軟質ポリエチレン等の軟質プラスチック、或いは発泡ウレタンや発泡ポリエチレン等の発泡体等々の衝撃吸収性を有する素材から構成される。
【実施例１】
【００２５】
次に、図１〜４を参照して、本発明を適用した一実施例の説明する。図１及び２は既に説明したとおりであり、図３は、本実施例１のコンパクト容器の斜視図であり、図４は本実施例１のヒンジ機構部の構成を示す組立図である。本実施例１のコンパクト容器は、化粧料や化粧用具を収納することができるように凹陥部(５)が形成された容器本体(１)と、この容器本体(１)に対しヒンジ機構(６)を介して回動自在に枢着され、容器本体(１)の開口部を開閉し得るように形成された蓋体(２)と、容器本体(１)のヒンジ部近傍の端部に形成された蓋体(２)の所定以上の開成を阻止するための突条部(３)と、無段階ロック機能をもたらす特開２００２−１５５９２６号公報に開示のヒンジ機構(６)と、閉蓋時に容器本体(１)と蓋体(２)との間に介在するように配置された緩衝材(４)とから構成されることを特徴とする。
【００２６】
図１を参照して、角度１５０゜はヒンジ機構(６)の最大開閉角度を示し、該角度の範囲内において、この発明のコンパクト容器は角度２５゜の閉成方向への付勢範囲を有し、この範囲内で蓋体は閉成方向に付勢される。又、開成方法に関しては、角度１０゜の付勢範囲を有しているが、蓋体と突条部との衝接により、開成方向への付勢力が作用する前に、蓋体の開成が停止される。途中の角度１１５゜の範囲においては、フリーストップ機能が作用しており、蓋体はこの角度範囲内では任意の位置で停止し、その停止状態が保持される。
【００２７】
容器本体(１)は、図３に示すように、長方形の平面形状を有し、一方の凹陥部(５)には固形化された粉体化粧料(７)が収容され、他方の凹陥部(５)には前記化粧料を塗布するためのパフ(８)が収納されたそれぞれ上方に開口して互いに隣接して形成された二つの凹陥部(５)を有するプラスチック製の容器であり、この容器本体(１)のヒンジ部をなす端部は、両側端が切欠した形状に形成されていて、この切欠部(９)に蓋体(２)の狭腕部(１０)を緩嵌するように構成されている。また、容器本体(１)のヒンジ部をなす端部の逆側の開口縁端上における化粧料収容凹陥部(５)側の角部近傍及びパフ収納凹陥部(５)側の角部近傍には、衝撃吸収性を有するゴム製の微小な緩衝材(４)がそれぞれ配置されている。
【００２８】
蓋体(２)は、容器本体(１)の平面形状及び大きさとほぼ同等な平面形状及び大きさを有し、この縁沿いに内側に突設して枠縁部(１１)が形成され、この枠縁部(１１)に囲繞された内側の平面部に鏡が取り付けられ、蓋体(２)のヒンジ部をなす端部に、前記容器本体(１)の切欠部(９)に緩嵌して容器本体(１)のヒンジ部をなす端部を挟み込むように形成された狭腕部(１０)を備えて構成され、また蓋体(２)のヒンジ部をなす端部の逆側の側端部には、蓋体(２)を開成しやすくするための指掛部(１２)が形成されている。
【００２９】
突条部(３)は、図２に示すように、容器本体(１)或いはコンパクト容器全体のデザインとして違和感なく形成されたものであり、容器本体(１)の切欠部の外側表面の下端から水平方向に突出し、この突出位置から弧を描くように立ち上がって、蓋体(２)の回動方向に合わせて半円状に形成された蓋体(２)の狭腕部(１０)下端を、部分的に同心円状に囲繞するように形成されている。また、突条部(３)の水平方向の突出は、本例において採用したヒンジ機構(６)における完全開成角度近傍の自動開成開始の設定角度の手前で、突条部(３)と蓋体(２)の狭腕部(１０)とが当接して、蓋体(２)をそれ以上の開成位置とすることを阻止することができるようなものとされている。
【００３０】
本例のヒンジ機構(６)は、図４に示すように、シャフト(１３)の一端部に一体的に形成された固定カム(１４)と、該シャフト(１３)に対して軸方向へ摺動自在且つ回転自在に取り付けられた滑動カム(１５)と、これら固定カム(１４)と滑動カム(１５)との互いの対向面に設けられたカム機構からなり、滑動カム(１５)を固定カム(１４)側へ圧接させるために前記シャフト(１３)に巻回させつつ滑動カム(１５)に対し軸方向に付勢するように配置されるコイルスプリング(１６)を備える。このヒンジ機構(６)を容器本体(１)と蓋体(２)の狭腕部(１０)とに形成されたヒンジ孔(９)内に組み込むことによって、所定の開成角度での無段階ロック機能を得ることが出来、また全閉成角度近傍の所定の狭い範囲の角度においてスムーズな自動閉成動作を得ることがきると共に、安定的に全閉成状態を保持することができる。勿論、本例の如くの無段階ロック式のヒンジ機構(６)は、好ましく適用することができるというものであって本例のものに限定されるものではないことは言うまでもなく、またヒンジ機構は無段階ロック式のものでなければならないというものでもなく、従来公知の技術を採用することが可能でる。
【図面の簡単な説明】
【００３１】
【図１】本発明を適用したコンパクト容器の回動状態を示す側面図
【図２】本発明にかかるヒンジ部周辺の側面の状態を示す拡大図
【図３】本発明を適用した一実施例のコンパクト容器の斜視図
【図４】同ヒンジ機構の構成を示す組立図である。
【符号の説明】
【００３２】
１  容器本体
２  蓋体
３  突条部
４  緩衝材
５  凹陥部
６  ヒンジ機構
７  化粧料
８  パフ
９  切欠部
１０  狭腕部
１１  枠縁部
１２  指掛部
１３  シャフト
１４  固定カム
１５  滑動カム
１６  コイルスプリング
【図１】
2005192709.tif 000003
【図２】
2005192709.tif 000004
【図３】
2005192709.tif 000005
【図４】
2005192709.tif 000006